(57)【要約】【課題】米計量と、鍋と電磁加熱コイルとの距離を最適距離に保持することの両者を満足させた電磁加熱コイル式の炊飯器を提供することを目的とする。【解決手段】本体１１内部の保護枠１４内に着脱自在に配置する鍋１２と、保護枠１４に取付け鍋１２を加熱する電磁加熱コイル１５と、鍋１２の開口部を覆う蓋１３と、保護枠１４の底部を通して鍋１２を受けその重量を検出する重量検出装置１７とを備え、重量検出装置１７は保護枠１４に設けたボス１６に固定した。これにより、重量検出装置１７が保護枠１４のボス１６で正確に位置決めされ、重量検出装置１７による米計量と、鍋１２と電磁加熱コイル１５との距離を最適距離に保持することができ、最適炊飯が行える。【選択図】図１
2005177218.tif 000002
【特許請求の範囲】
【請求項１】
本体内部の保護枠内に着脱自在に配置する鍋と、前記保護枠に取付け鍋を加熱する電磁加熱コイルと、前記鍋の開口部を覆う蓋と、前記保護枠の底部を通して鍋を受けその重量を検出する重量検出装置とを備え、前記重量検出装置は前記保護枠に設けたボスに固定してなる炊飯器。
【請求項２】
重量検出装置はその取付け板に穴を設け、保護枠に設けたボスの先端部には前記取付け板の穴に係合する係合部を設け、前記穴と係合部との係合により重量検出装置を保護枠に固定した請求項１に記載の炊飯器。
【請求項３】
重量検出装置はその取付け板に穴を設け、保護枠に設けたボスの先端部には金属製のボルトまたはナットを埋設し、前記取付け板の穴を通して前記ボルトまたはナットに対するナットまたはボルトの締結により重量検出装置を保護枠に固定した請求項１に記載の炊飯器。
【請求項４】
重量検出装置はその取付け板に穴を設け、保護枠に設けたボスの先端部には前記取付け板の穴に係合するフック部を設け、前記穴とフック部との弾性係合により重量検出装置を保護枠に固定した請求項１に記載の炊飯器。
【請求項５】
重量検出装置はその取付け板を弾性体で構成した請求項１〜４のいずれか１項に記載の炊飯器。
【請求項６】
重量検出装置は鍋を受ける鍋受けに緩衝部材を設けた請求項１〜５のいずれか１項に記載の炊飯器。
【発明の詳細な説明】
【技術分野】
【０００１】
本発明は、重量検出手段により米計量し、それに合致した最適な水計量を得て、所望の炊飯が行えるようにした電磁加熱コイル式の炊飯器に関するものである。
【背景技術】
【０００２】
従来、この種の炊飯器は、炊飯ヒーターの上に鍋を載せて、鍋と米と炊飯ヒーターの全体重量を重量検出手段により計量して、米計量に合致した最適な水計量を得ようとしている（例えば、特許文献１参照）。
【特許文献１】特許第２８３２４５５号公報
【発明の開示】
【発明が解決しようとする課題】
【０００３】
しかしながら、前記従来の構成では、炊飯ヒーター加熱式の炊飯器であり、近年、普及している電磁加熱コイル式の炊飯器とは構成が異なるため、従来の構成を電磁加熱コイル式の炊飯器にそのまま応用することができないものであった。特に、電磁加熱コイル式の炊飯器では、鍋と電磁加熱コイルとの距離が炊飯性能に影響を与えるものであり、重量検出手段により米計量することと、鍋と電磁加熱コイルとの距離を最適距離に保持することの両者を満足させることが難しいものであった。
【０００４】
本発明は、前記従来の課題を解決するもので、米計量と、鍋と電磁加熱コイルとの距離を最適距離に保持することの両者を満足させた電磁加熱コイル式の炊飯器を提供することを目的とするものである。
【課題を解決するための手段】
【０００５】
前記従来の課題を解決するために、本発明の炊飯器は、鍋を受けてその重量を検出する重量検出装置を、鍋を着脱自在に配置するとともに電磁加熱コイルを取付けた保護枠のボスに固定してなるものである。
【０００６】
これにより、重量検出装置が保護枠のボスで正確に位置決めされ、重量検出装置による米計量と、鍋と電磁加熱コイルとの距離を最適距離に保持することの両者を満足することができ、最適炊飯が行えるものである。
【発明の効果】
【０００７】
本発明の炊飯器は、米計量と、鍋と電磁加熱コイルとの距離を最適距離に保持することの両者を満足させ、最適炊飯を行うことができる。
【発明を実施するための最良の形態】
【０００８】
第１の発明は、本体内部の保護枠内に着脱自在に配置する鍋と、前記保護枠に取付け鍋を加熱する電磁加熱コイルと、前記鍋の開口部を覆う蓋と、前記保護枠の底部を通して鍋を受けその重量を検出する重量検出装置とを備え、前記重量検出装置は前記保護枠に設けたボスに固定してなる炊飯器とすることにより、重量検出装置が保護枠のボスで正確に位置決めされ、重量検出装置による米計量と、鍋と電磁加熱コイルとの距離を最適距離に保持することの両者を満足することができ、最適炊飯が行える。
【０００９】
第２の発明は、特に、第１の発明において、重量検出装置はその取付け板に穴を設け、保護枠に設けたボスの先端部には前記取付け板の穴に係合する係合部を設け、前記穴と係合部との係合により重量検出装置を保護枠に固定したことにより、重量検出装置が穴と係合部との係合により正確に位置決めされ、重量検出装置による米計量と、鍋と電磁加熱コイルとの距離を最適距離に保持することの両者を満足することができ、最適炊飯が行える。同時に、重量検出装置と保護枠の固定において、穴と係合部との係合によるため、緩みがなく、確実な取付けができる。
【００１０】
第３の発明は、特に、第１の発明において、重量検出装置はその取付け板に穴を設け、保護枠に設けたボスの先端部には金属製のボルトまたはナットを埋設し、前記取付け板の穴を通して前記ボルトまたはナットに対するナットまたはボルトの締結により重量検出装置を保護枠に固定したことにより、重量検出装置がボルト、ナットの締結により正確に位置決めされ、重量検出装置による米計量と、鍋と電磁加熱コイルとの距離を最適距離に保持することの両者を満足することができ、最適炊飯が行える。同時に、重量検出装置と保護枠の固定において、ボルト、ナットの締結によるため、緩みがなく、確実な取付けができる。
【００１１】
第４の発明は、特に、第１の発明において、重量検出装置はその取付け板に穴を設け、保護枠に設けたボスの先端部には前記取付け板の穴に係合するフック部を設け、前記穴とフック部との弾性係合により重量検出装置を保護枠に固定したことにより、重量検出装置が穴とフック部との弾性係合により正確に位置決めされ、重量検出装置による米計量と、鍋と電磁加熱コイルとの距離を最適距離に保持することの両者を満足することができ、最適炊飯が行える。同時に、重量検出装置と保護枠の固定において、穴とフック部との弾性係合によるため、緩みがなく、ワンタッチで確実な取付けができる。
【００１２】
第５の発明は、特に、第１〜第４のいずれか１つの発明において、重量検出装置はその取付け板を弾性体で構成したことにより、重量検出装置への衝撃を取付け板で吸収させることができ、鍋を保護枠内に配置する時の衝撃を低減して、重量検出装置に許容値以上の衝撃値が加わらないようにすることができる。
【００１３】
第６の発明は、特に、第１〜第４のいずれか１つの発明において、重量検出装置は鍋を受ける鍋受けに緩衝部材を設けたことにより、重量検出装置への衝撃を鍋受けの緩衝部材で吸収させることができ、鍋を保護枠内に配置する時の衝撃を低減して、重量検出装置に許容値以上の衝撃値が加わらないようにすることができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における炊飯器を示すものである。
【００１６】
図に示すように、本実施の形態における炊飯器は、炊飯器の本体１１内部に保護枠１４を設け、この保護枠１４内に着脱自在に鍋１２を配置する。前記保護枠１４の外側には、鍋１２を加熱する電磁加熱コイル１５取付けている。また、前記鍋１２の開口部を覆う蓋１３が本体１１に開閉自在に設けられている。そして、前記保護枠１４の底部中央に設けた穴１４ａを通して鍋１２を受けその重量を検出する重量検出装置１７が、保護枠１４の底部と一体に複数垂下形成して設けたボス１６に固定されている。
【００１７】
前記重量検出装置１７は、具体的には、歪みゲージを貼付した起歪体１８と、起歪体１８を固定する取付け板１９と、起歪体１８の端部を固定し鍋１２の重量を受ける略円筒状の鍋受け２０を有している。前記取付け板１９がボス１６の先端部に固定されることにより、重量検出装置１７がボス１６に固定されているものである。また、鍋受け２０は、保護枠１４の穴１４ａを通して保護枠１４内に臨んでおり、鍋１２底を直接受けている。この鍋受け２０内には、鍋１２を鍋受け２０の上に載せた時、バネで付勢されて鍋１２の底面に当接する鍋底温度センサー２１を装備している。なお、鍋１２を鍋受け２０上に載せた時、保護枠１４に設けた支持片２２が鍋１２を支えて、鍋１２の上端縁部が保護枠１４と接触しないようになっている。
【００１８】
そして、鍋１２を保護枠１４内に配置する時の衝撃を低減して、重量検出装置１７に許容値以上の衝撃値が加わらないようにするために、鍋受け２０の上端には、弾性と耐熱性を有するゴムなどの緩衝部材２３が取付けられている。また、同様な目的のために、取付け板１９は撓むことにより衝撃を吸収することができるガラス強化樹脂などの弾性体（金属であってもよい）で構成したものである。なお、緩衝部材２３と取付け板１９による衝撃低減機能は、いずれか一方だけの機能を得るものであってもよいし、両者による機能を併せて得るであってもよく、適宜選択することができる。
【００１９】
なお、一般的に良く知られているように、本体１１内には制御手段２４を、本体１１前面には操作部２５をそれぞれ設けており、米計量と、それに合致した最適な水計量を得て炊飯することができるものである。
【００２０】
このように、本実施の形態における炊飯器は、重量検出装置１７が保護枠１４のボス１６で正確に位置決めされ、重量検出装置１７による米計量と、鍋１２と電磁加熱コイル１５との距離を最適距離に保持することの両者を満足することができ、最適炊飯が行える。
【００２１】
（実施の形態２）
図２、図３は、本発明の実施の形態２における炊飯器の要部を示すものである。実施の形態１と同一要素については、同一符号を付して説明を省略する。
【００２２】
図に示すように、本実施の形態における炊飯器は、重量検出装置１７の取付け板１９に穴１９ａを設け、保護枠１４に設けたボス１６の先端部には前記取付け板１９の穴１９ａに係合する係合部１６ａを設け、前記穴１９ａと係合部１６ａとの係合により重量検出装置１７を保護枠１４に固定したものである。なお、この場合、穴１９ａと係合部１６ａとの係合をより強固にするため、穴１９ａの隙間に抜け止めのためのクサビ２７を入れてネジ２８でクサビ２７を取付け板１９に止めている。
【００２３】
このように、本実施の形態における炊飯器は、重量検出装置１７が穴１９ａと係合部１６ａとの係合により正確に位置決めされ、重量検出装置１７による米計量と、鍋１２と電磁加熱コイル１５との距離を最適距離に保持することの両者を満足することができ、最適炊飯が行える。同時に、重量検出装置１７と保護枠１４の固定において、穴１９ａと係合部１６ａとの係合によるため、緩みがなく、確実な取付けができる。
【００２４】
（実施の形態３）
図４は、本発明の実施の形態３における炊飯器の要部を示すものである。実施の形態１と同一要素については、同一符号を付して説明を省略する。
【００２５】
図に示すように、本実施の形態における炊飯器は、重量検出装置１７はその取付け板１９に穴１９ａを設け、保護枠１４に設けたボス１６の先端部には金属製のナット１６ｂを埋設し、前記取付け板１９の穴１９ａを通して前記ナット１６ｂに対するボルト２９の締結により重量検出装置１７を保護枠１４に固定したものである。なお、ナット１６ｂに代えてボルトを設け、ボルト２９に代えてナットを用いても同じである。
【００２６】
このように、本実施の形態における炊飯器は、重量検出装置１７がボルト、ナットの締結により正確に位置決めされ、重量検出装置１７による米計量と、鍋１２と電磁加熱コイル１５との距離を最適距離に保持することの両者を満足することができ、最適炊飯が行える。同時に、重量検出装置１７と保護枠１４の固定において、ボルト、ナットの締結によるため、緩みがなく、確実な取付けができる。
【００２７】
（実施の形態４）
図５、図６は、本発明の実施の形態４における炊飯器の要部を示すものである。実施の形態１と同一要素については、同一符号を付して説明を省略する。
【００２８】
図に示すように、本実施の形態における炊飯器は、重量検出装置１７はその取付け板１９に穴１９ａを設け、保護枠１４に設けたボス１６の先端部には前記取付け板１９の穴１９ａに係合するフック部１６ｃを設け、前記穴１９ａとフック部１６ｃとの弾性係合により重量検出装置１７を保護枠１４に固定したものである。前記フック部１６ｃの構成は種々のものが考えられるが、穴１９ａに差し込むことにより、弾性で自動的に取付け板１９に係合して容易に抜けないものであれば、特に限定されるものではない。
【００２９】
このように、本実施の形態における炊飯器は、重量検出装置１７が穴１９ａとフック部１６ｃとの弾性係合により正確に位置決めされ、重量検出装置１７による米計量と、鍋１２と電磁加熱コイル１５との距離を最適距離に保持することの両者を満足することができ、最適炊飯が行える。同時に、重量検出装置１７と保護枠１４の固定において、穴１９ａとフック部１６ｃとの弾性係合によるため、緩みがなく、ワンタッチで確実な取付けができる。
【産業上の利用可能性】
【００３０】
以上のように、本発明にかかる炊飯器は、米計量と、鍋と電磁加熱コイルとの距離を最適距離に保持することの両者を満足させ、最適炊飯を行うことができるので、電磁加熱コイル式の炊飯器に適用できる。
【図面の簡単な説明】
【００３１】
【図１】本発明の実施の形態１における炊飯器の断面図
【図２】本発明の実施の形態２における炊飯器の要部分解断面図
【図３】同炊飯器の要部組立て断面図
【図４】本発明の実施の形態３における炊飯器の要部分解断面図
【図５】本発明の実施の形態４における炊飯器の要部分解断面図
【図６】同炊飯器の要部組立て断面図
【符号の説明】
【００３２】
１１  本体
１２  鍋
１３  蓋
１４  保護枠
１５  電磁加熱コイル
１６  ボス
１７  重量検出装置
１９  取付け板
２０  鍋受け
２３  緩衝部材
【図１】
2005177218.tif 000003
【図２】
2005177218.tif 000004
【図３】
2005177218.tif 000005
【図４】
2005177218.tif 000006
【図５】
2005177218.tif 000007
【図６】
2005177218.tif 000008